(57)【要約】【課題】容器体内に冷熱源又は温熱源などの熱源を設置し、制御ユニットにより循環ポンプを作動させると、容器体内の熱源と熱交換器の熱交換流路との間で熱交換した熱媒体は循環管を通過して放熱体内の放熱流路を通過し、この熱媒体が放熱流路を通過することにより放熱体は冷却又は加温されることになり、熱源を冷熱源又は温熱源に選択することにより冷房作用又は暖房作用を得ることができる。【解決手段】容器体１内に冷熱源又は温熱源である熱源２を設置し、容器体内に熱源と熱交換可能な熱媒体４が通過する熱交換流路５をもつ熱交換器３を設置し、放熱体６内に熱媒体が通過する放熱流路７を設け、容器体内の熱交換器の熱交換流路と放熱体内の放熱流路との間に熱媒体が循環可能な閉回路状の循環管８を設けると共に循環管内で熱媒体を循環させる循環ポンプ９を設けてなる。【選択図】図１
2011002208.tif 000002
【特許請求の範囲】
【請求項１】
容器体内に冷熱源又は温熱源である熱源を設置し、該容器体内に該熱源と熱交換可能な熱媒体が通過する熱交換流路をもつ熱交換器を設置し、放熱体内に該熱媒体が通過する放熱流路を設け、該容器体内の熱交換器の熱交換流路と該放熱体内の放熱流路との間に熱媒体が循環可能な閉回路状の循環管を設けると共に該循環管内で該熱媒体を循環させる循環ポンプを設けてなることを特徴とする冷暖房装置。
【請求項２】
上記放熱体に温度センサーを設け、該温度センサーからの温度信号により上記熱媒体の通過流量を制御する温度制御ユニットを設けてなることを特徴とする請求項１記載の冷暖房装置。
【請求項３】
上記熱媒体は、水又は不凍液などの液体であることを特徴とする請求項１又は２記載の冷暖房装置。
【請求項４】
上記熱源は、氷又は保冷剤であることを特徴とする請求項１〜３のいずれか１項に記載の冷暖房装置。
【請求項５】
上記熱源は、温水であることを特徴とする請求項１〜３のいずれか１項に記載の冷暖房装置。
【発明の詳細な説明】
【技術分野】
【０００１】
本発明は、例えば、自動車の車内で寝泊まりしたり仮眠したりする際に用いられる冷暖房装置に関するものである。
【背景技術】
【０００２】
従来、この種の冷暖房装置として、自動車を空運転して車内に既設のエアコンを使用する構造や自動車を空運転してエンジンの冷却水を利用する構造のものが知られている。
【先行技術文献】
【特許文献】
【０００３】
【特許文献１】実開昭６３−３０２０８号公報
【発明の概要】
【発明が解決しようとする課題】
【０００４】
しかしながらこの従来構造の場合、いずれも自動車の空運転を継続する必要があり、燃料の浪費はもちろんのこと、周囲に対する騒音や排気ガス放散による公害を引き起こすことがあるという不都合を有している。
【課題を解決するための手段】
【０００５】
本発明はこのような不都合を解決することを目的とするもので、本発明のうちで、請求項１記載の発明は、容器体内に冷熱源又は温熱源である熱源を設置し、該容器体内に該熱源と熱交換可能な熱媒体が通過する熱交換流路をもつ熱交換器を設置し、放熱体内に該熱媒体が通過する放熱流路を設け、該容器体内の熱交換器の熱交換流路と該放熱体内の放熱流路との間に熱媒体が循環可能な閉回路状の循環管を設けると共に該循環管内で該熱媒体を循環させる循環ポンプを設けてなることを特徴とする冷暖房装置にある。
【０００６】
又、請求項２記載の発明は、上記放熱体に温度センサーを設け、該温度センサーからの温度信号により上記熱媒体の通過流量を制御する温度制御ユニットを設けてなることを特徴とするものであり、又、請求項３記載の発明は、上記熱媒体は、水又は不凍液などの液体であることを特徴とするものであり、又、請求項４記載の発明は、上記熱源は、氷又は保冷剤であることを特徴とするものであり、又、請求項５記載の発明は、上記熱源は、温水であることを特徴とするものである。
【発明の効果】
【０００７】
本発明は上述の如く、請求項１記載の発明にあっては、容器体内に冷熱源又は温熱源などの熱源を設置し、制御ユニットにより循環ポンプを作動させると、容器体内の熱源と熱交換器の熱交換流路との間で熱交換した熱媒体は循環管を通過して放熱体内の放熱流路を通過し、この熱媒体が放熱流路を通過することにより放熱体は冷却又は加温されることになり、熱源を冷熱源又は温熱源に選択することにより冷房作用又は暖房作用を得ることができ、例えば、自動車の空運転を継続する必要がなくなり、燃料の浪費や周囲に対する騒音や排気ガス放散による公害を引き起こすことも無く、複雑な構造を採用することなく、簡易な構造により例えば使用者への冷房作用又は暖房作用を得ることができ、使用の融通性を高めることができ、かつ、上記循環管は容器体内の熱交換器の熱交換流路と放熱体内の放熱流路との間に熱媒体が循環可能な閉回路状に設けられているから、熱源の熱を放熱体に輸送する熱媒体の外部への漏れを確実に防ぐことができ、熱媒体の水量を経年維持することができると共に管路内の汚れを防ぐことができ、耐久的に使用することができる。
【０００８】
又、請求項２記載の発明にあっては、上記放熱体に温度センサーを設け、該温度センサーからの温度信号により上記熱媒体の通過流量を制御する温度制御ユニットを設けてなるから、上記放熱体の冷却温度又は加温温度を制御することができ、又、請求項３記載の発明にあっては、上記熱媒体は、水又は不凍液などの液体が用いられているから、熱の輸送を効率的に行うことができ、又、請求項４記載の発明にあっては、上記熱源は、氷又は保冷剤であるから、氷を容器体内に収納することにより冷房作用を得ることができ、例えば、野外において、自動車の車内で寝泊まりしたり仮眠したりする際に容易に冷房作用を得ることができ、請求項５記載の発明にあっては、上記熱源は、温水であるから、容器体内に収納することにより暖房作用を得ることができる。
【図面の簡単な説明】
【０００９】
【図１】本発明の実施の形態例の全体説明図である。
【図２】本発明の実施の形態例の部分説明断面図である。
【図３】本発明の実施の形態例の部分断面図である。
【図４】本発明の実施の形態例の使用状態図である。
【発明を実施するための形態】
【００１０】
図１乃至図４は本発明を掛布団に適用した実施の形態例を示し、１は容器体であって、この場合、開閉自在な蓋体１ａ及び容器本体１ｂからなり、その内部に発泡樹脂材などの断熱材１ｃを内蔵してなる断熱容器が用いられ、例えば、可搬可能なクーラーボックスが用いられ、この容器体１内に冷熱源又は温熱源である熱源２が取替自在に設置されている。
【００１１】
上記熱源２としては、例えば、冷熱源の場合には氷又は保冷剤、温熱源の場合には、温水が用いられる。この場合、冷房が必要なので、冷熱源たる氷を用いている。
【００１２】
３は熱交換器であって、上記容器体１内に設置され、この熱交換器３には上記熱源２と熱交換可能な熱媒体４が通過する熱交換流路５が設けられている。
【００１３】
この熱媒体４としては、この場合、水又は不凍液などの液体が用いられ、勿論、熱媒体としての空気や他の流体を用いることもある。
【００１４】
６は放熱体であって、この場合、シート状に形成され、上記熱媒体４が通過する放熱流路７が設けられ、この場合、管からなる放熱流路７を渦巻状に配設して熱伝導良好な材質たるアルミ箔６ａ及び基布６ｂにより被覆し、掛布団状に形成している。
【００１５】
８は循環管であって、上記容器体１内の熱交換器３の熱交換流路５と上記放熱体６内の放熱流路７との間に熱媒体４が循環可能な閉回路状に設けられ、この循環管８内で熱媒体４を循環させる循環ポンプ９を設けて構成している。
【００１６】
この場合、上記循環管８にはワンタッチ継手Ｋ・Ｋが設けられ、容器体１側と熱交換器３側との分離を容易に行うようにしている。
【００１７】
１０は温度センサーであって、上記放熱体６に設けられ、この温度センサー１０からの温度信号により上記熱媒体４の通過流量を温度制御ユニット１１により制御するように構成されている。尚、温度制御ユニット１１の電源として蓄電池を用いることができる。
【００１８】
この実施の形態例は上記構成であるから、容器体１内に冷熱源又は温熱源などの温熱源２を設置し、制御ユニット１１により循環ポンプ９を作動させると、容器体１内の熱源２と熱交換器３の熱交換流路５との間で熱交換した熱媒体４は循環管８を通過して放熱体６内の放熱流路７を通過し、この熱媒体４が放熱流路７を通過することにより放熱体６は冷却又は加温されることになり、熱源２を冷熱源又は温熱源に選択することにより冷房作用又は暖房作用を得ることができ、例えば、自動車Ｗの空運転を継続する必要がなくなり、燃料の浪費や周囲に対する騒音や排気ガス放散による公害を引き起こすことも無く、複雑な構造を採用することなく、簡易な構造により例えば使用者Ｍへの冷房作用又は暖房作用を得ることができ、使用の融通性を高めることができ、かつ、上記循環管は容器体１内の熱交換器３の熱交換流路５と放熱体６内の放熱流路７との間に熱媒体が循環可能な閉回路状に設けられているから、熱源２の熱を放熱体６に輸送する熱媒体４の外部への漏れを確実に防ぐことができ、熱媒体４の水量を経年維持することができると共に管路内の汚れを防ぐことができ、耐久的に使用することができる。
【００１９】
この場合、上記放熱体６に温度センサー１０を設け、該温度センサーからの温度信号により上記熱媒体４の通過流量を制御する温度制御ユニット１１を設けてなるから、上記放熱体６の冷却温度又は加温温度を制御することができ、又、この場合、上記熱媒体４は、水又は不凍液などの液体が用いられているから、熱の輸送を効率的に行うことができ、又、この場合、上記熱源として、氷を用いているから、製氷した氷や冷却した保冷剤を容器体１内に投入収納することにより冷房作用を得ることができ、例えば、野外において、自動車の車内で寝泊まりしたり仮眠したりする際に容易に冷房作用を得ることができる。
【００２０】
又、上記熱源２として、沸騰させた温水を容器体１内に投入収納することにより使用者Ｍへの暖房作用を容易に得ることができる。
【００２１】
尚、本発明は上記の形態例に限られるものではなく、例えば、犬や猫などのペットの冷暖房や水枕、温又は冷湿布などの治療器具などの他用途に適用することができる。
【００２２】
又、上記容器体１、熱交換器３、放熱体４、温度制御ユニット１１の構造や形態、上記熱源２、上記熱媒体４の種類の種類や大きさ、形態等は適宜変更して設計されるものである。
【００２３】
以上の如く、所期の目的を充分達成することができる。
【符号の説明】
【００２４】
１    容器体
２    熱源
３    熱交換器
４    熱媒体
５    熱交換流路
６    放熱体
７    放熱流路
８    循環管
９    循環ポンプ
１０    温度センサー
１１    温度制御ユニット
【図１】
2011002208.tif 000003
【図２】
2011002208.tif 000004
【図３】
2011002208.tif 000005
【図４】
2011002208.tif 000006